(57)【特許請求の範囲】
【請求項１】
遊技機による遊技の結果として遊技者に付与された遊技結果価値の範囲内で、各々の特殊景品を識別するための景品番号が付与された特殊景品を払出す景品払出装置と、該景品払出装置から払出された特殊景品を受付けて、受付けた特殊景品に応じた金銭を払出す金銭払出手段を有する景品買上装置と、前記景品番号を管理するとともに、前記景品払出装置により払出される特殊景品に対する新たな景品番号の発行を行う管理装置とを備えた景品管理システムであって、
前記景品払出装置は、
払出す特殊景品に付与するための新たな景品番号の送信を前記管理装置に要求する景品番号要求手段と、
該景品番号要求手段の要求に応じて前記管理装置から送信されてきた前記景品番号に基づいてセキュリティ情報を生成するセキュリティ情報生成手段と、
該セキュリティ情報生成手段により生成されたセキュリティ情報および前記景品番号を前記払出す特殊景品に付与する情報付与手段とを含み、
前記景品買上装置は、
景品投入口に投入された特殊景品に付与されている情報を読取る情報読取手段と、
該情報読取手段により読取られたセキュリティ情報が適正であるか否かを判定するセキュリティ情報判定手段と、
前記情報読取手段により読取られた景品番号の照合要求を前記管理装置へ送信する照合要求送信手段とを含み、
前記管理装置は、
前記照合要求送信手段から送信されてきた景品番号が予め登録されているか否かを照合する景品番号照合手段と、
該景品番号照合手段による照合結果を前記景品買上装置へ返信する照合結果返信手段とを含み、
前記景品買上装置は、さらに、
前記セキュリティ情報判定手段により適正であると判定されたことに基づいて、前記照合結果返信手段からの照合結果の返信を待つことなく前記特殊景品の買取額分の金銭を前記金銭払出手段により払出すための準備を行う払出準備手段と、
前記照合結果返信手段から景品番号の登録がある旨の照合結果が返信されてきたことを条件として、前記払出準備手段により払出の準備がなされた金銭を前記金銭払出手段に払出させる制御を行なう金銭払出制御手段とを含み、
前記景品買上装置は、前記景品投入口に投入された複数の特殊景品のそれぞれについて、前記情報読取手段による情報の読取り、前記セキュリティ情報判定手段による判定、および前記照合要求送信手段による照合要求の送信を実施し、
前記払出準備手段は、前記セキュリティ情報判定手段により適正であると判定された複数の特殊景品の合計の買取額分の金銭を前記金銭払出手段により払出すための準備を行い、
前記金銭払出制御手段は、前記照合要求を送信した複数の特殊景品の中に、前記照合結果返信手段から返信されてきた照合結果が景品番号の登録がない旨の特殊景品が存在するときには、前記払出準備手段により払出の準備がなされていた金銭から、当該景品番号の登録がない旨の照合結果であった特殊景品の額面分の金銭を減算した金銭を前記金銭払出手段に払出させる制御を行うことを特徴とする、景品管理システム。
【発明の詳細な説明】
【０００１】
【産業上の利用分野】
本発明は、たとえば、パチンコ遊技場において交換された特殊景品を買上げて金銭を払出すとともにその特殊景品の適否を管理する景品管理システムに関する。
【０００２】
【従来の技術】
従来、遊技場においては、遊技機による遊技の結果として遊技者に払出された景品玉や景品コイン等の遊技結果価値を用いて景品交換し、その交換された特殊景品を遊技者に付与していた。そして遊技者はその与えられた特殊景品をたとえば景品買取所に持参し、その特殊景品を買上げてもらい換金していた。
【０００３】
【発明が解決しようとする課題】
一方、前記特殊景品が換金可能なものであることに鑑み、前記特殊景品の偽物が偽造されて、その偽特殊景品が景品買取所に持込まれて換金されるという不正行為が発生するおそれがあった。
【０００４】
そこで、たとえば、遊技場において正規に景品交換された特殊景品に対し、当該特殊景品と他の特殊景品とを識別するための景品番号を付して、その景品番号と同じ景品番号を前記景品買取所に送信してその景品買取所でその送信されてきた景品番号を登録しておくようにし、前記遊技場で交換された前記特殊景品がその景品買取所に持込まれた場合に、その持込まれた景品に付されている前記景品番号を読取り、その読取った景品番号が前記予め登録されている景品番号と一致するか否かを判別するようにし、一致する場合にのみその特殊景品を適正な特殊景品と判断して換金を許すという景品背番号管理システムを導入することが考えられる。この景品背番号管理システムを導入すれば、景品買取所において予め登録されている景品番号以外の特殊景品がその景品買取所に持込まれた場合には、その特殊景品は偽物の特殊景品であると推定し、このような不正特殊景品を買上げることによる不正特殊景品に基づいた換金行為を極力防止することができる。
【０００６】
本発明は、係る実情に鑑み考え出されたものであり、その目的は、前記景品背番号管理システムに利用されることにより、不正特殊景品の買上げを極力防止できるとともに、特殊景品の買取額に応じた金銭の払出しに要する時間を極力短縮することである。
【０００７】
【課題を解決するための手段】
請求項１に記載の本発明は、遊技機による遊技の結果として遊技者に付与された遊技結果価値の範囲内で、各々の特殊景品を識別するための景品番号が付与された特殊景品を払出す景品払出装置と、該景品払出装置から払出された特殊景品を受付けて、受付けた特殊景品に応じた金銭を払出す金銭払出手段を有する景品買上装置と、前記景品番号を管理するとともに、前記景品払出装置により払出される特殊景品に対する新たな景品番号の発行を行う管理装置とを備えた景品管理システムであって、
前記景品払出装置は、
払出す特殊景品に付与するための新たな景品番号の送信を前記管理装置に要求する景品番号要求手段と、
該景品番号要求手段の要求に応じて前記管理装置から送信されてきた前記景品番号に基づいてセキュリティ情報を生成するセキュリティ情報生成手段と、
該セキュリティ情報生成手段により生成されたセキュリティ情報および前記景品番号を前記払出す特殊景品に付与する情報付与手段とを含み、
前記景品買上装置は、
景品投入口に投入された特殊景品に付与されている情報を読取る情報読取手段と、
該情報読取手段により読取られたセキュリティ情報が適正であるか否かを判定するセキュリティ情報判定手段と、
前記情報読取手段により読取られた景品番号の照合要求を前記管理装置へ送信する照合要求送信手段とを含み、
前記管理装置は、
前記照合要求送信手段から送信されてきた景品番号が予め登録されているか否かを照合する景品番号照合手段と、
該景品番号照合手段による照合結果を前記景品買上装置へ返信する照合結果返信手段とを含み、
前記景品買上装置は、さらに、
前記セキュリティ情報判定手段により適正であると判定されたことに基づいて、前記照合結果返信手段からの照合結果の返信を待つことなく前記特殊景品の買取額分の金銭を前記金銭払出手段により払出すための準備を行う払出準備手段と、
前記照合結果返信手段から景品番号の登録がある旨の照合結果が返信されてきたことを条件として、前記払出準備手段により払出の準備がなされた金銭を前記金銭払出手段に払出させる制御を行なう金銭払出制御手段とを含み、
前記景品買上装置は、前記景品投入口に投入された複数の特殊景品のそれぞれについて、前記情報読取手段による情報の読取り、前記セキュリティ情報判定手段による判定、および前記照合要求送信手段による照合要求の送信を実施し、
前記払出準備手段は、前記セキュリティ情報判定手段により適正であると判定された複数の特殊景品の合計の買取額分の金銭を前記金銭払出手段により払出すための準備を行い、
前記金銭払出制御手段は、前記照合要求を送信した複数の特殊景品の中に、前記照合結果返信手段から返信されてきた照合結果が景品番号の登録がない旨の特殊景品が存在するときには、前記払出準備手段により払出の準備がなされていた金銭から、当該景品番号の登録がない旨の照合結果であった特殊景品の額面分の金銭を減算した金銭を前記金銭払出手段に払出させる制御を行うことを特徴とする。
【０００８】
【作用】
請求項１に記載の本発明によれば、景品払出装置に設けられた景品番号要求手段の働きにより、払出す特殊景品に付与するための新たな景品番号の送信が前記管理装置に要求される。景品払出装置に設けられたセキュリティ情報生成手段の働きにより、景品番号要求手段の要求に応じて前記管理装置から送信されてきた前記景品番号に基づいてセキュリティ情報が生成される。景品払出装置に設けられた情報付与手段の働きにより、セキュリティ情報生成手段により生成されたセキュリティ情報および前記景品番号が前記払出す特殊景品に付与される。
景品買上装置に設けられた情報読取手段により、景品投入口に投入された特殊景品に付与されている情報が読取られる。景品買上装置に設けられたセキュリティ情報判定手段の働きにより、情報読取手段により読取られたセキュリティ情報が適正であるか否かが判定される。景品買上装置に設けられた照合要求送信手段の働きにより、前記情報読取手段により読取られた景品番号の照合要求が前記管理装置へ送信される。
管理装置に設けられた景品番号照合手段の働きにより、前記照合要求送信手段から送信されてきた景品番号が予め登録されているか否かが照合される。管理装置に設けられた照合結果返信手段の働きにより、景品番号照合手段による照合結果が前記景品買上装置へ返信される。
景品買上装置に設けられた払出準備手段の働きにより、前記セキュリティ情報判定手段により適正であると判定されたことに基づいて、前記照合結果返信手段からの照合結果の返信を待つことなく前記特殊景品の買取額分の金銭を前記金銭払出手段により払出すための準備が行なわれる。景品買上装置に設けられた金銭払出制御手段の働きにより、前記照合結果返信手段から景品番号の登録がある旨の照合結果が返信されてきたことを条件として、前記払出準備手段により払出の準備がなされた金銭を前記金銭払出手段に払出させる制御が行なわれる。前記景品買上装置により、前記景品投入口に投入された複数の特殊景品のそれぞれについて、前記情報読取手段による情報の読取り、前記セキュリティ情報判定手段による判定、および前記照合要求送信手段による照合要求の送信が実施される。前記払出準備手段により、前記セキュリティ情報判定手段により適正であると判定された複数の特殊景品の合計の買取額分の金銭を前記金銭払出手段により払出すための準備が行われる。前記金銭払出制御手段の働きにより、前記照合要求を送信した複数の特殊景品の中に、前記照合結果返信手段から返信されてきた照合結果が景品番号の登録がない旨の特殊景品が存在するときには、前記払出準備手段により払出の準備がなされていた金銭から、当該景品番号の登録がない旨の照合結果であった特殊景品の額面分の金銭を減算した金銭を前記金銭払出手段に払出させる制御が行われる。
【０００９】
【発明の実施例】
次に、本発明の実施例を図面に基づいて詳細に説明する。
【００１０】
図１は、景品を背番号管理する景品背番号管理システムを示す概略ブロック図である。この景品背番号管理システムは、複数の遊技場１Ａ，１Ｂと、特殊景品を買取る特殊景品買取所７と、買取られた特殊景品を集荷する特殊景品集荷場１０とを含んでいる。
【００１１】
複数の遊技場１Ａ，１Ｂには、それぞれ、カード販売機２とカード処理機３と遊技機の一例のパチンコ遊技機４と景品払出装置５と玉計数装置６とが設置されている。遊技機の例としては、他に、コイン遊技機やスロットマシン等でもよい。遊技者は、まず代金をカード販売機２に投入し、その投入代金の範囲内の有価価値を特定可能な情報が記録された玉貸カードを購入する。次に遊技者は複数の遊技機の中から遊技を行ないたいパチンコ遊技機４を見つけだし、そのパチンコ遊技機４に対応するカード処理機３に前記玉貸カードを挿入する。そして挿入された玉貸カードの記録情報により特定される有価価値を使用して遊技媒体の一例の遊技玉が払出され、その払出された遊技玉を遊技領域に打込んでパチンコ遊技機４により遊技を行なう。そして、パチンコ遊技機４の遊技領域に打込まれた打玉が入賞すれば、景品玉が払出される。遊技者が玉貸カードの返却操作を行なえば、遊技に使用された有価価値が減額された後の新たな有価価値に更新された玉貸カードがカード処理機３から遊技者に払出される。そして、遊技を終了する場合にはパチンコ遊技機４から払出された遊技玉，景品玉からなる遊技結果価値を景品払出装置５に投入する。そしてその投入された遊技結果価値の範囲内で特殊景品が景品払出装置５から遊技者に払出される。
【００１２】
景品払出装置５は、特殊景品を払出す際に、その特殊景品に後述する景品識別情報の一例の第２景品コード１５７（図５を参照）を付する。この第２景品コードは、当該景品を払出した遊技場を特定するための遊技店コード，当該特殊景品を払出した日付を特定する日付コード，特殊景品の金額を特定する額面データ，当該特殊景品を他の特殊景品と識別するための景品番号とを含む。そして、景品番号に関しては、まず景品払出装置５が特殊景品買取所７に設置されている第１管理装置９に景品番号要求信号を出力し、第１管理装置９は、それを受けて、要求個数分の未登録の景品番号を割出して、景品払出装置５に返信する。景品払出装置５は、その返信されてきた景品番号を含む第２景品コードを特殊景品に付して払出すとともに、その付した第２景品コードを第１管理装置９に送信する。第１管理装置９では、その送信されてきた第２景品コードで特定される遊技店コードや景品番号等を登録しておく。
【００１３】
遊技者が払出された遊技玉，景品玉を使用して一般景品と景品交換したい場合には、玉計数装置６にその遊技玉，景品玉を投入して遊技結果価値情報を入力する。すると、その玉計数装置６に投入された玉数データを特定可能な情報が記録された玉数カードが遊技者に排出され、その玉数カードを遊技者が景品交換所に持参して一般景品と交換する。
【００１４】
前記景品払出装置５から払出された特殊景品を遊技者が換金したい場合には、その払出された特殊景品を特殊景品買取所７に持参し、その特殊景品買取所７の係員に手渡す。すると、その係員がその特殊景品を景品買上装置８に投入する。景品買上装置８は、その投入された特殊景品に記録されている第２景品コードを読取り、その第２景品コードを特殊景品背番号管理用の第１管理装置９に出力する。第１管理装置９では、その出力されてきた第２景品コードで特定される景品番号および遊技店コード等のデータが前記景品払出装置５から伝送されてきた予め登録されている景品番号および遊技店コード等のデータと一致するか否か判別する。一致する場合には適正である旨の信号を景品買上装置８に出力し、景品買上装置８から、投入された特殊景品のうち適正な特殊景品に相当する金額分の現金が払出される。係員は、その払出された現金を遊技者に手渡す。景品買上装置８は、適正と判断された特殊景品の登録抹消要求信号とともに、その適正な特殊景品に記録されている第２景品コードを第１管理装置９に出力し、第１管理装置９では、その送信されてきたデータを特殊景品集荷場１０に設置されている入出荷管理用の第２管理装置１４に出力する。なお、後述する第１景品コードの納入先コードと第２景品コードの店コードとは同一の遊技場を特定するコードであるため、ここでは、第１景品コードまで第２管理装置１４に送信する必要はない。
【００１５】
特殊景品集荷場１０は、複数の特殊景品買取所７から買取られた特殊景品を集荷する場所である。そして、図示するように、特殊景品買取所７に設置されている景品買上装置８にストックされている特殊景品を集荷し、その集荷した特殊景品（包装されている）１５Ａを景品処理装置１１に投入する。景品処理装置１１には、景品コード除去装置１２と景品コード付与装置１３とが設けられており、まず投入された特殊景品１５Ａは、景品コード除去装置１２でその包装が除去されることにより、包装に書込まれていた景品コードが除去される。その際に、特殊景品１５Ａに付されていた第１景品コードが読取られて第２管理装置１４に出力される。第１景品コードは、後述するように、当該特殊景品を納入する遊技店あるいは遊技店への納入業者を特定するための納入先コード，当該特殊景品の額面を特定する額面データが含まれており、第２管理装置１４では、その出力されてきた第１景品コードに基づいて、後述するように、納入先コード別，額面データ別の集荷データを更新する。
【００１６】
景品コード除去装置１２により包装が除去された特殊景品１５Ｂが景品コード付与装置１３に投入されれば、その景品コード付与装置１３は、新たな第１景品コードが書込まれた包装が付された特殊景品１５Ｃを排出する。そしてその排出された特殊景品１５Ｃが遊技場へ納入される。景品コード付与装置１３は、新たな景品コードを付与した特殊景品を排出した際に、その特殊景品に付された第１景品コードを納入データ更新要求信号，納入数データ，日付データとともに第２管理装置１４に出力する。第２管理装置１４では、後述するように、その送信されてきたデータをもとに納入先コード別，額面データ別の納入データを更新する。
【００１７】
図２は、景品払出装置５の構成を説明するための構成図である。景品払出装置５は、ＣＰＵ，ＲＡＭ，ＲＯＭ等を含む制御部４９が内蔵されており、この制御部４９により以下に述べるような各種機器が制御される。景品払出装置５には、玉計数装置１６が設けられており、この玉計数装置１６に投入された遊技玉，景品玉が計数されてその投入数からなる遊技結果価値情報が制御部４９に入力される。一方、景品払出装置５には、メダル計数装置１９が設けられており、このメダル計数装置１９に投入されたメダルが計数されてその計数情報である遊技結果価値情報が制御部４９に入力される。玉計数装置１６により計数されて制御部４９に入力された玉数は、計数玉数表示器２６により表示される。一方、メダル計数装置１９により計数されて制御部４９に入力されたメダル数は、計数メダル数表示器２７により表示される。景品払出装置５には、ＣＲＴあるいは液晶の表示装置等からなるモニタ画面２４が設けられており、この景品払出装置５の操作手順やエラーが発生した場合のエラー原因等が表示される。また図中２５は計数中表示器であり、玉計数装置１６あるいはメダル計数装置１９により投入玉あるいは投入メダルが計数されている最中にこの計数中表示器２５が点灯して計数中である旨が表示される。そして、すべての玉あるいはメダルを遊技者が投入し終わってそれが計数されてその計数値が計数玉数表示器２６あるいは計数メダル数表示器２７により表示されたのを遊技者が確認し、確認ボタン３６を押圧操作すれば、その投入された玉あるいはメダルの合計金額が金額表示器２８により表示されるとともに、半端玉あるいは半端メダルがある場合にはその余り数が余り数表示器２９により表示される。そして、半端玉は半端玉返却装置１７の働きにより返却口１８から遊技者に排出され、半端メダルは半端メダル返却装置２０の働きにより返却口２１から遊技者に排出される。なお、この場合、半端分についてレシート等を発行するようにし、玉やメダルを返却しないようにしてもよい。
【００１８】
一方、景品払出装置５から払出される特殊景品はその額面が２０００円，１０００円，２００円の３種類用意されており、金額表示器２８により表示されている金額の範囲内でそれぞれの額面の特殊景品が何個払出されるかが払出個数表示器３０，３１，３２により表示される。そして、特殊景品ストック部３７，３８，３９に、それぞれ２０００円，１０００円，２００円の額面の特殊景品がストックされており、それぞれのストック部３７，３８，３９の下方に設けられている払出装置４３，４４，４５の働きにより、払出個数表示器３１，３２，３３により表示された個数分の特殊景品が払出口４６，４７，４８から遊技者に払出される。なお、図中４０，４１，４２は、ストック部３７，３８，３９にストックされている特殊景品が不足したことを検出する不足検出スイッチであり、この不足検出スイッチが不足状態を検出すればそれぞれに対応して設けられている不足表示器３３，３４，３５が点灯または点滅表示される。図中２２は作動中表示器であり、景品払出装置５が作動中である旨を表示するものであり、２３は中止表示器であり、景品払出装置５が作動中止中である旨を表示するものである。
【００１９】
図３は、景品買上装置８の構成を示す構成図である。景品買上装置８は、景品計数装置５０と金銭自動支払装置８５とから構成されている。景品計数装置５０は、換金するために投入された特殊景品を計数するためのものであり、以下の種々の機器を制御するための制御部８４が設けられている。この制御部８４は、ＣＰＵ，ＲＡＭ，ＲＯＭ等を含む。景品計数装置５０には、作動中表示器５１と中止中表示器５２とが設けられており、作動中表示器５１が作動中である旨を表示していることを確認したうえで、投入口６２，６３，６４に特殊景品を投入する。この投入口６２，６３，６４は、２０００円，１０００円，２００円の各特殊景品の種類（額面）に応じてそれぞれ２０００円用の投入口６２と１０００円用の投入口６３と２００円用の投入口６４とが設けられている。そしてそれぞれの投入口６２，６３、６４から投入された特殊景品は、それぞれに設けられた特殊景品読取装置６５，６６，６７により第１，第２景品コードが読取られる。そして特殊景品読取装置６５，６６，６７は、その読取った景品コードに基づいてその景品コード上でのセキュリティチェックを行ない、適正な特殊景品であるか否かの判別を行なう。そして、不適正な特殊景品であると判別された場合には、その不適正特殊景品が経路７１を通って返却口８３に返却される。そして、適正な特殊景品と判別されたものが特殊景品一時貯留部６８，６９，７０に一時貯留される。そして、投入口６２，６３，６４に投入された特殊景品のうち景品コード上適正であると判断された特殊景品の個数が個数表示器５６，５７，５８により表示される。そして、それぞれの個数分の支払金額データおよび支払準備信号が金銭自動支払装置８５に送信され、金銭自動支払装置８５では、その支払金額データに従った額の金銭を払出す動作を開始する。
【００２０】
一方、景品計数装置５０では、一応適正と判断された特殊景品に付されている第２景品コードに含まれる景品番号等のデータを第１管理装置９（図１参照）に出力する処理を行なう。そして、第１管理装置９で、その出力されてきた景品番号等のデータが予め登録されているものであるか否かの判断を行ない、登録されている場合には適正と判断し登録されていない場合には不適正と判断し、その判断結果の信号を景品計数装置５０に返信する。景品計数装置５０では、不適正である旨の信号が返信されてきた場合には、前記一時貯留部６８，６９，７０に一時貯留されている特殊景品で不適正であると判断された不適正特殊景品を仕分装置７２，７３，７４により仕分してその不適正特殊景品を経路８１から返却口８３に返却する。一方、適正と判断された特殊景品は、特殊景品ストック部７５，７６，７７にストックされる。そして、最終的に適正と判断された特殊景品に対する支払金額データが支払指令信号とともに金銭自動支払装置８５に伝送される。この特殊景品ストック部７５，７６，７７がストックされた景品で満杯となれば満杯検出器７８，７９，８０がその旨を検出して、満杯となった特殊景品ストック部７５，７６，７７に対応する満杯表示器５９，６０，６１が点灯または点滅表示される。
【００２１】
景品計数装置５０には、金額表示器５４が設けられており、投入口６２，６３，６４に投入されて景品コード上一応適正と判断された特殊景品の合計金額がこの金額表示器５４により表示される。そして、第１管理装置９により登録されている特殊景品であるか否か判別されて、登録されていない不適正な特殊景品が発見された場合には、その不適正景品を除いた残りの合計金額が表示されるようにこの表示器５４の表示金額が切換えられる。また、景品計数装置５０は、ＣＲＴあるいは液晶表示装置等からなるモニタ画面５３が設けられており、このモニタ画面により操作手順やエラー発生時におけるエラー原因等が表示される。
【００２２】
金銭自動支払装置８５は、以下の種々の機器を制御するための制御部１２０が設けられている。この制御部１２０は、ＣＰＵ，ＲＯＭ，ＲＡＭ等を含んでいる。金銭自動支払装置８５では、景品コード上のセキュリティに基づいて適正な景品コードと判断した景品計数装置５０が送信してきた前記一応適正と判断された景品に対する支払金額データ（支払準備信号を含む）に基づいて、その個数分の特殊景品の合計金額を支払準備金額として支払準備金額表示器８６に表示する。そして、その支払準備金額に基づいて１００００円，５０００円，１０００円，１００円の貨幣の払出枚数を払出枚数表示器８８〜９１により表示する。次に、払出準備金額に基づいた払出枚数分の紙幣，硬貨をそれぞれ貨幣収納部９６〜９９から取出して貨幣計数器１０４〜１０７により計数する。そして計数した状態で、景品計数装置５０からの最終的な支払指令信号が送信されてくるのを待つ。前述したように、景品計数装置５０では、投入された特殊景品に付されている第２景品コードが第１管理装置９に登録されているか否かの第１管理装置９による判断結果が返信されてきた場合に、その判断結果に基づいて不適正と判断された特殊景品は返却し、適正と判断された特殊景品のみについての支払金額データ等を金銭自動払出装置８５に送信してそれに基づいた最終的な支払指令信号を出力するのである。金銭自動支払装置８５では、その最終的な信号に基づいて、最終的な支払金額を支払金額表示器８７により表示する。通常は、支払準備金額表示器８６に表示されている支払準備金額と、支払金額表示器８７に表示されている最終的な支払金額とは一致するが、第１管理装置９に登録されていない不適正な特殊景品が景品計数装置５０に投入されれば、その不適正な特殊景品の金額分だけ支払金額表示器８７により表示される金額が少なくなる。
【００２３】
そして、支払準備金額表示器８６に表示されている支払準備金額と支払金額表示器８７に表示されている支払金額とが一致する場合すなわち景品計数装置５０に投入された特殊景品の中に未登録の特殊景品が存在しなかった場合には、前記貨幣計数器１０４〜１０７で計数された貨幣がそのまま貨幣払出口１０８〜１１１から払出される。一方、景品計数装置５０に投入された特殊景品の中に未登録の特殊景品が存在していた場合には、支払準備金額よりも最終的な支払金額の方が少なくなるために、１００００円，５０００円，１０００円，１００円の貨幣のうちのいずれかあるいはすべての払出枚数が少なくなる。この場合には、少なくなった最終的な払出枚数が払出枚数表示器８８〜９１により表示され、かつ、前記前記貨幣計数器１０４〜１０７で計数された貨幣のうち最終的に少ない払出枚数となった貨幣に相当する貨幣計数器で計数された貨幣が振分装置１０８〜１１１の働きにより振分けられて貨幣貯留部１１６〜１１９に貯留される。そして、少なくなった最終的な払出枚数を再度貨幣計数器が計数し、その最終的に計数しなおされた貨幣が貨幣払出口から払出される。たとえば、払出準備金額が１７２００円で、１００００円札が１枚，５０００円札が１枚，１０００円札が２枚，１００円玉が２枚払出準備をするべくそれぞれの枚数を貨幣計数装置１０４〜１０７が計数した後、景品計数装置５０に投入された特殊景品のうち１０００円の額面の特殊製品１個が未登録であった場合には、最終的な払出金額は１６２００円となり、１０００円札を２枚払出す予定であったものを１０００円札１枚に変更しなければならない。その場合には、既に貨幣計数装置１０６により計数された２枚の１０００円札を振分装置１１０により一端貨幣貯留部１１８の方に振分けて貯留した後、再度貨幣計数装置１０６により１枚の１０００円札を計数してその１枚の１０００円札を貨幣払出口１１４から払出す。なお、他の貨幣計数装置１０４，１０５，１０７で計数されたそれぞれの貨幣はそのまま貨幣払出口１０８，１０９，１１１から払出される。
【００２４】
図中１００，１０１，１０２，１０３は貨幣不足検出器であり、貨幣収納部９６〜９９に収納されているそれぞれの貨幣が欠乏したことを検出し、その検出信号に基づいて不足表示器９２〜９５が点灯または点滅表示される。
【００２５】
図４は、景品処理装置１１の構成を示す構成図である。景品処理装置１１は、景品コード除去装置１２と景品コード付与装置１３とを有している。そして、特殊景品集荷場１０に集荷された包装が付されている特殊景品１５Ａが特殊景品投入口１２１から投入され、その投入された特殊景品に付されている第１景品コードが景品コード読取装置１２２により読取られる。その読取られた第１景品コードは、制御装置１３０に伝送される。そして景品コード読取装置１２２により読取られた後の特殊景品１５Ａは、搬送装置１２３により景品仕分装置１２４に送込まれる。この景品仕分装置１２４は、特殊景品の額面すなわち２０００円，１０００円，２００円ごとの特殊景品および特殊景品に付されている景品コード上のセキュリティに基づいて不適正な特殊景品と判断された不適正特殊景品に仕分して、不適正特殊景品は特殊景品排出装置１２５から排出され、それ以外の特殊景品で２０００円，１０００円，２００円の額面ごとに仕分けられた特殊景品が額面別搬送装置１２６により搬送されて包装開封装置１２７に送込まれる。
【００２６】
包装開封装置１２７では、その送込まれてきた特殊景品の包装を開封して除去し、特殊景品に付されていた景品コードを除去する。そして包装が除去された特殊景品１５Ｂは、額面ごとに分類された状態で額面別搬送装置１２８により搬送されて景品ストック装置１２９に送込まれる。
【００２７】
次に、景品コード付与装置１３には、入力装置１４２が設けられている。この入力装置１４２には、テンキー１４３，カーソルキー１４９，確認キー１５０，訂正キー１５１が設けられている。そして、テンキー１４３を操作して、特殊景品を納入する遊技場である納入先コード，その納入先に納入すべき特殊景品額面別の納入数，納入予定日としての日付コードを順次入力する。そしてその入力された納入先コードが納入先コード表示器１４４により表示され、納入数が額面別納入数表示器１４５，１４６，１４７により表示され、納入予定日が納入予定日表示器１４８により表示される。そしてこの各表示器による表示を見てオペレータが確認キー１５０を操作すれば、その入力された各データが制御装置１３０に送信される。一方、各表示器に表示された入力データを見たオペレータがその入力データの一部を訂正したい場合には、訂正キー１５１を操作する。次にカーソルキー１４９を操作して訂正したい箇所を選択する。そして選択された箇所のデータを再度テンキー１４３を操作することにより入力設定しなおす。
【００２８】
オペレータが景品ストック装置１２９にストックされている特殊景品を取出して納入先の遊技場に納入したい場合には、前述した要領で入力装置１４２から必要なデータを入力し、そのデータが制御装置１３０に入力される。すると、制御装置１３０は、その入力されたデータに基づいて景品ストック装置１２９にストックされている特殊景品を取出す指令信号を景品取出装置１３１に出力し、景品取出装置１３１では、その指令信号に基づいて入力された納入数の特殊景品を額面別に取出し、その取出された特殊景品が特殊景品搬送装置１３２により搬送されて景品包装装置１３３に送込まれる。景品包装装置１３３では、送込まれてきた特殊景品を自動的に包装し、その包装された後の特殊景品が特殊景品搬送装置１３４により搬送されて景品コード書込装置１３５に送込まれる。その送込まれた特殊景品に景品コード書込装置１３５が第１景品コードを書込む。そして、第１景品コードが書込まれた特殊景品１５Ｃが特殊景品搬送装置１３６により搬送されて景品コード読取装置１３７に送込まれる。景品コード読取装置１３７では、その送込まれてきた特殊景品に書込まれた第１景品コードを読取り、その読取った第１景品コードが正しいものであるか否か判別し、印刷ミス等により正しく書込まれていないと判別された特殊景品は特殊景品搬送装置１３８，景品仕分装置１３９介して第２排出口１４１から排出され、正しいと判別された特殊景品のみが特殊景品搬送装置１３８，景品仕分装置１３９介して第１排出口１４０から排出される。なお、前記制御装置１３０は、ＣＰＵ，ＲＡＭ，ＲＯＭ等を有し、図４に示した各種装置に制御信号を出力する。
【００２９】
図５は、特殊景品の構成を示す斜視図である。特殊景品本体１５２には、チップ埋設部１５３が形成されており、そのチップ埋設部１５３にゴールドチップ１５４が埋設されている。このゴールドチップ１５４は、特殊景品の額面に応じた価値のものとなっている。
【００３０】
図１に示した特殊景品集荷場１０に集荷されたまだ包装が付されている特殊景品１５Ａが図５（Ａ）に示されている。この特殊景品１５Ａには、その包装１５５に、第１景品コード１５６と第２景品コード１５７とが付されている。これら第１景品コード１５６，第２景品コード１５７は、包装１５５の表面に直接印刷等により書込んでもよく、また、各景品コードを印刷したシールを包装１５５の表面に貼着するようにしてもよい。また、第１景品コード１５６を包装１５５に予め印刷等により書込んでおいてもよい。また、景品コードを書込む方法としてはバーコード印刷や磁気コード書込等さまざまな方法が考えられる。
【００３１】
図５（Ｂ）は、図１に示した景品コード除去装置１２により包装が除去された後の特殊景品１５Ｂを示している。
【００３２】
次に図５（Ｃ）は、図１に示した景品コード付与装置１３により新しく包装しなおされた特殊景品１５Ｃが示されている。この特殊景品１５Ｃの包装１５５の表面には、新たな第１景品コード１５６が付されている。
【００３３】
図６は、遊技場に設置された景品払出装置５（図１，図２参照）の制御動作を示すフローチャートである。まずステップＳ（以下単にＳと言う）Ａ１により、遊技媒体の投入があったか否かの判断がなされ、あるまで待機する。そして遊技者が遊技玉，景品玉を玉計数装置１６に投入するか景品メダルをメダル計数装置１９に投入すれば、ＳＡ２に進み、その投入された遊技媒体を計数して計数玉表示器２６あるいは計数メダル表示器２７により表示する動作が行なわれる。次にＳＡ３に進み、計数終了確認操作があったか否かの判断がなされ、あるまで待機する。そして、遊技者が確認ボタン３６を押圧操作すれば、ＳＡ４に進み、遊技媒体の計数値をもとに特殊景品の払出数を算出する動作が行なわれる。次にＳＡ５に進み、算出された特殊景品払出数分の景品ＮＯ．要求信号を第１管理装置９（図１参照）に出力する処理がなされる。そしてＳＡ６に進み、景品ＮＯ．信号の入力があるか否か判断され、入力があるまで待機する。
【００３４】
第１管理装置９では、まだ登録されていない新たな景品ＮＯ．を発行してその景品ＮＯ．データを景品払出装置５に返信する。すると、ＳＡ６によりＹＥＳの判断がなされＳＡ７に進み、入力された景品ＮＯ．を一時記憶し、ＳＡ８に進み、記憶してある景品ＮＯ．を順次読出し、ＳＡ９により、当該景品払出装置５が設置されている遊技場を特定する店コード，特殊景品を払出した日付を特定するための日付コード，払出すべき特殊景品の金額を特定するための額面データ，送信されてきた景品ＮＯ．をもとにセキュリティコードを作成する処理が行なわれる。このセキュリティコードは、前記店コード，日付コード，額面データ，景品ＮＯ．の各データに対し所定の相関関係を有する情報である。次にＳＡ１０に進み、前記各データおよび作成したセキュリティコードをスクランブル（暗号化）する処理がなされる。次にＳＡ１１に進み、スクランブルされたコードを第２景品コードとして特殊景品に付与する制御が行なわれ、ＳＡ１２により、その第２景品コードが付与された特殊景品を特殊景品払出口４６，４７，４８から払出す制御が行なわれる。
【００３５】
次にＳＡ１３に進み、払出数分の特殊景品払出動作が終了したか否かの判断がなされ、まだ終了していない場合にはＳＡ８に戻り、ＳＡ８〜ＳＡ１２の処理を繰返し実行する。そして払出すべきすべての特殊景品の払出が終了した段階でＳＡ１４に進み、前記ＳＡ２により計数した遊技媒体数の計数値に端数があるか否かの判断がなされる。ない場合にはＳＡ１６に進むが、ある場合にはＳＡ１５に進み、その端数分の遊技媒体を返却口１８，２１から返却する処理がなされる。なお、端数分の遊技媒体を直接返却する変わりに、レシート等の記録媒体に遊技媒体の端数データを記録させて排出し、そのレシート等の記録媒体に記録されている端数分の遊技媒体あるいは端数分の一般景品を後に付与してもらうようにしてもよい。また、端数分の遊技媒体数をためておき、後日再遊技に使用できるようにしてもよい。次にＳＡ１６に進み、前記払出した特殊景品の各データ（店コード，日付コード，額面データ，景品ＮＯ．を含むセキュリティコード）を登録要求信号とともに第１管理装置９（図１参照）に出力する処理が行なわれる。
【００３６】
図７は、景品買上装置８（図１，図３参照）の制御動作を示すフローチャートである。まずＳＢ１により、特殊景品の投入があったか否かの判断がなされ、あるまで待機する。景品払出装置５から払出された特殊景品を遊技者が特殊景品買取所７にまで持参し、特殊景品買取所７の係員がその特殊景品を景品買上装置８の特殊景品投入口６２，６３，６４（図３参照）に投入すれば、ＳＢ２に進み、その投入された特殊景品を取込み、ＳＢ３に進み、取込んだ特殊景品に付与されている第２景品コードを読取る動作が行なわれる。次にＳＢ４に進み、その読取った第２景品コードに逆スクランブル（複合化）をかけて元のデータに戻す動作が行なわれる。次にＳＢ５に進み、元に戻したセキュリティコードの整合性をチェックする処理が行なわれる。これは、前述したように、セキュリティコードが店コード，日付コード，額面データ，景品ＮＯ．の各データをもとに作成されたものであり、それら各データとセキュリティコードとの間に所定の相関関係を有しており、ＳＢ５では、前記店コード，日付コード，額面データ，景品ＮＯ．の各データとセキュリティコードとの間に前記一定の相関関係があるかどうか整合性をチェックするのである。
【００３７】
次にＳＢ６に進み、ＳＢ５によるチェックの結果、セキュリティコードが適正であるか否かの判断がなされる。そして適正でないと判断された場合にはＳＢ７に進み、コードが不適正な特殊景品を返却口８３（図３参照）から返却する処理がなされた後ＳＢ１０に進む。一方、セキュリティコードが適正であると判断された場合にはＳＢ８に進み、その適正と判断された特殊景品の額面データを払出金額に加算する処理がなされる。次にＳＢ９に進み、特殊景品の前記各データを照合要求信号とともに第１管理装置９に出力する処理がなされる。そしてＳＢ１０に進み、すべての特殊景品の読取動作が終了したか否かの判断がなされ、終了していない場合にはＳＢ３に戻り、ＳＢ３〜ＳＢ９の動作を繰返し実行する。そしてすべての特殊景品の読取動作が終了した段階でＳＢ１１に進み、ＳＢ８により順次加算された払出金額を金額表示器５４により表示させ、額面別の景品個数を個数表示器５６，５７，５８により表示させる動作が行なわれる。次にＳＢ１２に進み、確認操作があったか否かの判断がなされ、ない場合にはＳＢ１３に進み、特殊景品の追加投入があったか否かの判断がなされ、ない場合にはＳＢ１２に戻る。そして、係員が特殊景品を投入口６２，６３，６４から追加投入すれば、ＳＢ１４に進み、その追加投入された特殊景品を取込んで再度ＳＢ３に戻り、ＳＢ３〜ＳＢ１１の動作を実行する。そして、係員が確認ボタン８２を押圧操作すれば、ＳＢ１２によりＹＥＳの判断がなされてＳＢ１５に進み、金銭自動支払装置８５に払出金額分の支払準備信号を出力する処理がなされる。この出力信号は、支払準備信号と前記ＳＢ８により順次加算された最終的な支払金額合計とを含んでいる。
【００３８】
次にＳＢ１６に進み、第１管理装置９からの照合結果信号の返信があったか否かの判断がなされ、あるまで待機する。一方、金銭自動支払装置８５の方では、ＳＢ１５に基づいた信号を受取って、支払金額分の特殊景品の支払の準備を開始し、ＳＢ１６によりＹＥＳの判断がなされるまでの間を利用して支払準備を行なう。ＳＢ９に基づいて景品払出装置５から送られてきた特殊景品の各データに基づいて第１管理装置９は、その各データ（特に景品ＮＯ．）が登録されているか否かを照合して判断するので、その照合結果を景品払出装置５に返信する。第１管理装置９の照合結果の返信があれば、ＳＢ１７に進み、その返信されてきた照合結果が景品ＮＯ．の登録がある旨を表わすものであるか否かの判断がなされ、登録ありの場合にはＳＢ１９に進むが、登録なしの場合にはＳＢ１８に進み、払出金額から登録なし分の特殊景品の額面を減算する処理がなされる。そしてＳＢ１９により、すべての特殊景品の照合が終了したか否かの判断がなされ、終了するまでＳＢ１６ないしＳＢ１８の処理が実行され、すべての照合が終了した段階でＳＢ２０に進む。
【００３９】
ＳＢ２０では、金銭自動支払装置８５に払出金額分の払出指令信号を出力する動作が行なわれる。この「払出金額」は、前記ＳＢ１８により減額された後の払出金額であり、未登録の特殊景品を除いた最終的に適正と判断された特殊景品についてのみの最終的な払出金額である。次にＳＢ２１に進み、未登録の特殊景品があったか否かの判断がなされ、ない場合にはＳＢ２３に進むが、ある場合にはＳＢ２２に進み、未登録の特殊景品を返却口８３から返却する制御が行なわれる。次にＳＢ２３では、買取った特殊景品すなわち返却口８３から返却されなかった特殊景品の各データを登録抹消要求信号とともに第１管理装置９に出力する処理がなされる。
【００４０】
図８は、景品処理装置１１の制御動作を示すフローチャートである。図８（Ａ）は景品コードを除去する動作を示し、ＳＣ１により、特殊景品の投入があったか否かの判断がなされ、あるまで待機する。そして、特殊景品が投入口１２１（図４参照）に投入されれば、ＳＣ２に進み、その投入された特殊景品を取込み、ＳＣ３に進み、特殊景品に付与されている第１景品コードを景品コード読取装置１２２により読取る動作が行なわれる。次にＳＣ４に進み、その読取った第１景品コードが適正なものであるか否かの判断がなされる。この判断は、第１景品コード上のセキュリティのみで判断する。そして適正でないと判断された場合にはＳＣ８に進み、不適正な特殊景品を特殊景品排出口１２５に排出する処理がなされる。一方適正と判断された場合にはＳＣ５に進み、読取った第１景品コードを集荷データ更新要求信号とともに第２管理装置１４（図１参照）に出力する処理がなされる。次にＳＣ６に進み、包装開封装置１２７により特殊景品の包装を自動開封する処理がなされる。その結果、包装に付されていた景品コードが除去される。次にＳＣ７に進み、包装を取った特殊景品を景品ストック装置１２９により額面別に分類してストックする処理がなされる。
【００４１】
図８（Ｂ）は景品コード付与動作を示したフローチャートである。まずＳＣ９により、納入先コードの入力があったか否かの判断がなされ、あるまで待機する。オペレータが入力装置１４２を操作して納入先コードを入力すればＳＣ１０に進み、額面別納入数の入力があったか否かの判断がなされる。オペレータが入力装置１４２から額面別納入数データを入力すれば、ＳＣ１１に進み、納入予定日コードの入力があったか否かの判断がなされ、オペレータが入力装置１４２から納入予定日付コードを入力すれば、ＳＣ１２に進み、確認操作の入力があったか否かの判断がなされ、ない場合にはＳＣ１3 に進み、訂正操作の入力があったか否かの判断がなされ、ない場合にはＳＣ１２に戻る。
【００４２】
オペレータが訂正キー１５１を操作すればＳＣ１３によりＹＥＳの判断がなされてＳＣ９に戻り、再度ＳＣ９〜ＳＣ１１の判断動作が行なわれ、オペレータが訂正対象となるデータを特定して修正すれば、そのデータが新たに修正される。そしてオペレータが確認キー１５０を押圧操作すれば、ＳＣ１２によりＹＥＳの判断がなされてＳＣ１４に進み、入力されたデータをもとに第１景品コードを作成する処理がなされる。この第１景品コードは、入力された納入先コード，額面データ，納入予定日付コードを含んでいる。
【００４３】
次にＳＣ１５に進み、景品包装装置１３３により特殊景品に自動的に包装を施し、ＳＣ１６に進み、その特殊景品の包装の表面に景品コード書込装置１３５により第１景品コードを付与する処理がなされる。次にＳＣ１７に進み、景品コード読取装置１３７により前記付与された第１景品コードを読取る動作が行なわれ、ＳＣ１８に進み、その読取った第１景品コードが適正なコードであるか否かの判断が行なわれる。そして不適正なものであると判断された場合はＳＣ１９に進み、不適正な特殊景品を第２排出口１４１に排出した後ＳＣ１５に戻る。そしてＳＣ１５ないしＳＣ１７の動作を再度繰返す。第１景品コードが適正であると判断された場合にはＳＣ２０に進み、特殊景品を第１排出口１４０に排出し、ＳＣ２１に進み、入力数分の特殊景品の排出動作が終了したか否かの判断がなされ、終了していなければＳＣ１５ないしＳＣ２０の動作を繰返し実行し、終了した段階でＳＣ２２に進む。ＳＣ２２では、第１景品コードを納入データ更新要求信号，納入数データ，日付データとともに第２管理装置１４に出力する処理が行なわれる。
【００４４】
図９は、第１管理装置９の制御動作を示すフローチャートである。図９（Ａ）は景品ＮＯ．を発行する動作であり、Ｓ１により景品ＮＯ．要求信号が入力されたか否かの判断がなされ、前記ＳＡ５に基づいて景品払出装置５から景品ＮＯ．要求信号の入力があれば、Ｓ２に進み、要求個数分の未登録景品ＮＯ．を発行してその景品ＮＯ．データを景品払出装置５に返信する処理がなされる。
【００４５】
図９（Ｂ）は特殊景品登録動作を示し、Ｓ３により登録要求信号の入力があったか否かの判断がなされ、前記ＳＡ１６に基づいて景品払出装置５から登録要求信号が送信されてくれば、Ｓ４に進み、送信されてきたデータを景品ＮＯ．に対応させて記憶する処理がなされる。この景品ＮＯ．に対応させて記憶するデータは、特殊景品の額面データ，店コード，日付コードである。
【００４６】
図９（Ｃ）は、景品ＮＯ．照合処理を示すフローチャートである。Ｓ５により、照合要求信号の入力があったか否かの判断がなされ、前記ＳＢ９に基づいて景品買上装置８から照合要求信号が送信されてくれば、Ｓ６に進み、送信されてきたデータに含まれる景品ＮＯ．と前記Ｓ４に基づいて予め記憶されている景品ＮＯ．を照合する動作が行なわれる。次にＳ７に進み、その照合結果、送信されてきたデータに含まれる景品ＮＯ．が登録されていたか否かの判断がなされ、登録されていた場合にはＳ８に進み、送信されてきたデータと前記Ｓ４に基づいて予め分類登録されているデータとを比較する処理がなされる。すなわち、送信されてきた景品ＮＯ．に該当する登録データを読出し、その登録データと送信されてきたデータとを比較する処理がＳ８によりなされ、その比較結果両データが一致するか否かの判断がＳ９によりなされる。そして一致すればＳ１０に進み、登録ありの照合結果信号を景品買上装置８に返信する処理がなされる。一方、Ｓ７により景品ＮＯ．が登録されていないと判断された場合およびＳ９により両データが一致しないと判断された場合にはＳ１１に進み、登録なしの照合結果信号を景品買上装置８に返信する処理がなされる。
【００４７】
図９（Ｄ）は、特殊景品登録抹消動作を示すフローチャートである。Ｓ１２により、登録抹消要求信号の入力があったか否かの判断がなされ、前記ＳＢ２３に基づいて景品買上装置８から登録抹消要求信号が送信されてくればＳ１３に進み、送信されてきたデータを第２管理装置１４に転送する処理がなされる。この送信されてきたデータの中には、買取られた特殊景品の各データすなわち店コード，日付コード，額面データ，景品ＮＯ．が含まれている。次にＳ１４に進み、送信されてきたデータに対応する登録データを抹消する処理がなされる。
【００４８】
図１０は、第２管理装置１４の制御動作を示すフローチャートである。図１０（Ａ）は特殊景品納入処理を示し、Ｓ１５により、納入データ更新要求信号の入力があったか否かの判断がなされる。そして、前記ＳＣ２２に基づいて景品処理装置１１から納入データ更新要求信号が送信されてくれば、Ｓ１６に進み、その送信されてきたデータをもとに納入先コード別，額面データ別の納入データ（図１１参照）を更新する処理がなされる。景品処理装置１１からは、納入データ更新要求信号とともに、第１景品コード，納入数データ，日付データが送信されてくるのであり、それらのデータに従って第２管理装置１４に納入先コード別，額面データ別に分類記憶されている納入データを更新するのである。
【００４９】
図１０（Ｂ）は特殊景品集荷処理を示すフローチャートであり、Ｓ１７により、集荷データ更新要求信号の入力があったか否かの判断がなされる。前記ＳＣ５に基づいて景品処理装置１１から集荷データ更新要求信号が送信されてくれば、その送信されてきたデータをもとに納入先コード別，額面データ別の集荷データの更新処理がなされる。この送信されてきたデータには、第１景品コードが含まれており、この第１景品コードに含まれている納入先コード，額面データに基づいて、納入先コード別，額面データ別に分類記憶されている第２管理装置１４の記憶データである集荷データ（図１１参照）が更新される。
【００５０】
図１０（Ｃ）は、特殊景品買取額更新処理のフローチャートであり、Ｓ１９により、第１管理装置から転送データの入力があったか否かの判断がなされる。前記Ｓ１３に基づいて第１管理装置９から転送データが送信されてくれば、その転送されてきたデータをもとに店コード別，額面データ別の買取額データの更新処理がなされる。第２管理装置１４には、店コード別，額面データ別の買取額データが分類記憶されており（図１１参照）、第１管理装置９から転送されてきたデータに含まれている店コード，額面データに基づいて、店コード別，額面データ別に分類記憶されている買取数データの更新がなされる。
【００５１】
図１１は、第２管理装置１４に分類記憶されている複数の遊技場の景品入出庫データのうちＡホール（遊技場１Ａ）の景品入出庫データを示した図である。この第２管理装置１４に分類記憶されている景品入出庫データが、図１１に示す表の形で表示または印字出力される。図１１に示す一番左側の列には、日付データが示されている。この日付データは、入力装置１４２から入力された日付コードデータであり、第１景品コードとして特殊景品に付された日付データである。そして、図１１に示すように、２０００円，１０００円，２００円の各額面の特殊景品ごとに分類されて種々のデータが記憶されている。その記憶データは、特殊景品をＡホールに納入した納入数データａ１，ａ２…，特殊景品買取所７が特殊景品を買取った買取数データｂ１，ｂ２…，納入数から買取数を差引いた買取残データ（ａ１−ｂ１），（ａ２−ｂ２），…，特殊景品集荷場１０に集荷された特殊景品の数である集荷数データｃ１，ｃ２…，買取数から集荷数を差引いた集荷残データ（ｂ１−ｃ１），（ｂ２−ｃ２），…である。
【００５２】
買取残データは、Ａホールに納入した特殊景品のうち未だに特殊景品買取所７が買取っていない特殊景品の数を表わすデータであり、Ａホールの特殊景品の在庫数と一致するはずである。集荷数データは、Ａホールに納入した特殊景品のうちまだ特殊景品集荷場１０に集荷されるに至っていない特殊景品の数を表わすデータであり、Ａホールの特殊景品の在庫数と特殊景品買取所７へ買取られまだ特殊景品集荷場に集荷されていない特殊景品の数との和である。そして、買取残データと集荷残データとは正常であればプラスのデータになるはずである。一方、買取残データや集荷残データがいつまでたっても異常に大きな値となっている場合には、Ａホールが特殊景品集荷場１０から大量に特殊景品を納入しながらも、いつまでたってもその特殊景品が特殊景品買取所７に渡らないことを意味しており、特殊景品集荷場１０から納入した特殊景品をＡホールが正規の特殊景品買取所７以外の不正な特殊景品買取所に横流ししたことが推測される。
【００５３】
また、第２管理装置１４は、図１１に示すように、１０／１から１０／３１の１カ月間の納入数データ，買取数データ，買取残データ，集荷数データ，集荷残データの合計数を演算する。そしてＡホールに納入した特殊景品の納入合計金額すなわち特殊景品の額面に１カ月の納入数の合計を乗じた金額を算出する。そして、３種類の特殊景品の合計金額である（２０００ａ＋１０００ｄ＋２００ｇ）に手数料３％を上乗せした１．０３を乗じた請求額を算出する。この請求額を１カ月の請求額としてＡホールに請求する。
【００５４】
次に、以上説明した実施例の特徴や変形例等を以下に列挙する。
（１）  図１において、特殊景品買取所７内に、遊技者一人一人を撮影する自動テレビカメラを設置し、その撮影データを集中管理室（たとえば特殊景品集荷場１０内に設ける）に伝送してリアルタイムで監視するようにしてもよい。またこのテレビカメラは特殊景品買取所７の係員が手動でＯＮ操作して撮影したり録画したりする手動動作のものであってもよい。また、第１管理装置９と第２管理装置１０との設置場は実施例に限定されることなくどこでもよく、かつ、両装置９，１０を１つにしてもよい。さらに、第１管理装置９，第２管理装置１０の機能を、景品払出装置５や景品買上装置８に内蔵させてもよい。
【００５５】
カード販売機２から販売されるカードは、全国共通カードであってもよい。全国共通カードとは、共通カードシステムに加盟している遊技場なら全国どこでも使用し得る第三者発行型のプリペイドカードのことである。この全国共通カードにより、遊技者の購入代金の対価としての共通有価価値を特定可能な情報が記録されており、複数の遊技場で共通に使用可能な共通記録媒体が構成されている。
【００５６】
図１に示した景品管理システムは、遊技機が設置された遊技場と、該遊技場の遊技機による遊技の結果として遊技者に付与された遊技結果価値を使用して景品交換された景品を買取る景品買取所と、該景品買取所で買取った景品を集荷して処理する景品集荷場と、該景品集荷場から納入先である遊技場に納入され、景品交換された後、前記景品買取所で買取られ、該景品買取所から再度前記景品集荷場に集荷されるという一連の還流ルートを還流する景品それぞれを識別するための景品識別情報を当該景品に付する還流景品識別情報付与手段と、該還流景品識別情報付与手段により付与された景品識別情報を登録する景品識別情報登録手段と、前記景品の還流過程で、当該景品に付されている景品識別情報を読取る景品識別情報読取手段と、該景品識別情報読取手段が読取った景品識別情報と前記景品識別情報登録手段に登録されている景品識別情報とを照合して、前記景品識別情報読取手段が読取った景品識別情報が予め登録されている適正な景品識別情報であるか否かを判別する適否判別手段とを含む。
【００５７】
（２）  図２，図３において、景品払出装置５は、制御部４９からなる制御手段と、操作手順をメッセージ表示する操作手順表示手段（モニタ画面２４）と、入力された遊技結果価値情報を表示する遊技結果価値表示手段（計数玉数表示器２６，計数メダル数表示器２７，金額表示器２８）と、払出すべき景品の個数を表示する払出景品個数表示手段（払出個数表示器３０〜３２）と、景品を貯留しておくストック部３７，３８，３９と、該ストック部にストックされている景品が欠乏したことを検出するストック景品欠乏検出手段と、該ストック景品欠乏検出手段の検出出力があった場合に、ストック景品が欠乏したことを表示するストック景品欠乏表示手段とを含む。
【００５８】
景品買上装置８は、景品計数手段と金銭払出手段とを含んでいる。景品計数手段は、制御手段と、操作手順をメッセージ表示するための操作手順表示手段（モニタ画面５３）と、特殊景品受入部（特殊景品の投入口６２〜６４）と、前記特殊景品受入部に受入れられた特殊景品に付されている景品識別情報（景品コード）を読取る景品識別情報読取手段（特殊景品読取装置６５〜６７）と、不適正な景品を仕分けて排出するための不適正景品仕分手段（仕分装置７２〜７４）と、該不適正景品仕分手段により仕分けられた後の適正な景品を貯留する適正景品貯留部と、該適正景品貯留部に貯留された適正景品が満杯になったことを検出する景品満杯検出手段と、該景品満杯検出手段の検出出力があった場合に、前記適正景品貯留部に貯留された適正景品が満杯になった旨を表示する景品満杯表示手段とを含む。
【００５９】
金銭払出手段は、制御手段と、金銭をストックしておく金銭ストック部と、支払うべき金銭の数を表示する金銭数表示手段と、前記金銭ストック部にストックされている金銭が欠乏したことを検出する金銭欠乏検出手段と、該金銭欠乏検出手段の検出出力があった場合に、前記金銭ストック部にストックされている金銭が欠乏したことを表示する金銭欠乏表示手段とを含む。
【００６０】
玉計数装置１６，メダル計数装置１９あるいは玉計数装置６から、遊技媒体の計数結果情報を特定可能な情報が記録された記録媒体を払出し、その払出された記録媒体の記録情報を景品払出装置５が読取って前記遊技媒体の計数結果の範囲内で景品を払出すようにしてもよい。また、パチンコ遊技機４が、有価価値を特定可能な情報が記録された記録媒体の記録情報により特定される有価価値を使用して直接玉を弾発発射できるようにし、遊技終了時に遊技結果価値が特定可能な情報が記録された記録媒体を排出するといういわゆる完全カード式のものであってもよい。なお、前記パチンコ遊技機４等の遊技機に使用される前記有価価値を特定可能な情報が記録された記録媒体と、前記遊技終了時に遊技結果価値が特定可能な情報が記録された記録媒体とは、同一の記録媒体であってもよく、それぞれ別の専用の記録媒体であってもよい。前記パチンコ遊技機等の遊技機を前述した完全カード式のものにした場合には、前記遊技結果価値を特定可能な情報が記録された記録媒体を直接景品払出装置５に投入して遊技結果価値の入力を行なう。
【００６１】
（３）  図４において、特殊景品集荷場１０に集荷された景品を処理する景品処理装置は、景品識別情報を除去する景品識別情報除去手段と、新たな景品識別情報を付与する景品識別情報付与手段とを含む。景品識別情報除去手段は、景品を受入れる景品受入部と、該景品受入部に受入れられた景品に付されている景品識別情報を読取る景品識別情報読取手段と、前記景品受入部に受入れられた景品をその種類ごとに仕分ける景品仕分手段と、前記景品識別情報が付された景品の包装を開封する包装開封手段と、包装が開封された景品をストックしておく景品ストック手段と、該景品ストック手段にストックされている景品を取出す景品取出手段と、該景品取出手段により取出された景品に包装を付する景品包装手段と、該景品包装手段により施された包装に新たな景品識別情報を付する景品識別情報付与手段と、該景品識別情報付与手段により付与された景品識別情報を読取確認する読取確認手段と、該読取確認手段により読取確認された結果適正に景品識別情報が付されている適正景品とそれ以外の不適正景品とに仕分ける景品仕分手段と、景品処理動作を制御する制御手段と、必要なデータを入力操作する入力操作手段とを含む。
【００６２】
なお、特殊景品の包装をし直すことなく、景品コード（景品識別情報）の消去や書換えのみで対応してもよい。
【００６３】
（４）  図５において、景品識別情報として第１景品コード１５６，第２景品コード１５７は、従来から一般的な１次元のバーコードで構成したが、スクランプ（暗号化）がかけやすい２次元バーコードで構成してもよい。また磁気ストライプを施して磁気記憶方式にしてもよい。
【００６４】
（５）  図６ないし図１１において、ＳＡ１，ＳＡ２，玉計数装置１６，メダル計数装置１９により、前記遊技者に払出された遊技結果価値情報を入力可能な遊技結果価値情報入力手段が構成されている。ＳＡ４により、前記遊技結果価値情報入力手段で入力された遊技結果価値の範囲内で払出可能な景品の数量を算出する払出景品数量算出手段が構成されている。ＳＡ５〜ＳＡ１３，特殊景品払出装置４３，４４，４５により、前記払出景品数量算出手段で算出された数量の景品を払出可能な景品払出手段が構成されている。この景品払出手段は、前記払出景品数量算出手段で算出された数量の景品を上限としてその範囲内で遊技者が選択入力した数量の景品を払出すものでもよい。そして、遊技者が選択した数量の景品が前記払出数量算出手段で算出された数量よりも少ない場合には、その差だけの数量の景品に相当する有価価値を特定可能な情報が記録された記録媒体（レシートやカード等）を遊技者に排出し、その排出され記録媒体により特定される有価価値を後日使用して、景品の払出しや遊技機による遊技が行なえるようにしてもよい。ＳＡ１６により、前記景品払出手段により払出された景品に付されれ当該景品を他の景品と識別するための景品識別情報を外部出力する景品識別情報出力手段が構成されている。
【００６５】
ＳＡ１１，特殊景品払出装置４３，４４，４５により、払出すべき景品に前記景品識別情報を付与する景品識別情報付与手段が構成されている。その景品識別情報は、当該景品を払出して発行した発行店を識別するための発行店識別情報を含む（ＳＡ９参照）。また前記景品識別情報は、当該景品を発行した日付を識別するための発行日識別情報を含む（ＳＡ９参照）。
【００６６】
ＳＡ１０によるセキュリティコードのスクランブルは、各種の暗号化手法を用いてセキュリティコードを暗号化するものでもよい。たとえば、公開鍵暗号方式を利用して暗号化してもよい。公開鍵暗号方式とは、１対の暗号化鍵と復号化鍵が異なり、暗号化鍵は公開し、復号化鍵のみを秘密にしておく暗号である。そして、複数存在する特殊景品買取所７ごとに公開鍵である暗号化鍵が割振られており、当該遊技場で払出された特殊景品を買取ることとなっている買取所７に割振られた暗号化鍵に基づいて前記セキュリティコードを暗号化する。そして暗号化されたコードをＳＡ１１により前記特殊景品買取所７の第１管理装置９に送信する。第１管理装置９では、その送信されてきた暗号化されたコードを自己の秘密鍵である復号化鍵により復号化してもとのセキュリティコードに戻すようにする。なお、暗号化手法としては、公開鍵暗号方式に限らず、たとえば、前記暗号化鍵と復号化鍵とが両方ともに秘密の鍵であるものであってもよい。前記ＳＡ１０により、所定の変換用データ（暗号化鍵）に従って所定のアルゴリズムによりセキュリティデータを変換するセキュリティデータ変換手段が構成されている。前記ＳＢ５により、前記セキュリティデータ変換手段により変換された変換データを、所定の逆変換用データ（復号化鍵）により逆変換してもとのセキュリティデータに戻すセキュリティデータ逆変換手段が構成されている。前記ＳＡ９により、前記セキュリティデータ変換手段により変換されるセキュリティデータを作成するセキュリティデータ作成手段が構成されている。また、所定の乱数発生手段から乱数を発生させ、ＳＡ９により店コード，日付コード，額面データ，景品ＮＯ．ばかりでなく、前記乱数発生手段から発生した乱数をも含めて、セキュリティコード作成するようにしてもよい。すなわち、ＳＡ９によるセキュリティデータ作成手段は、所定の乱数発生手段から発生した乱数を含むセキュリティコードを作成するものであってもよい。
【００６７】
前記ＳＡ５により、景品交換に伴って払出すべき景品に付される前記景品識別情報の発行を要求する景品識別情報発行要求手段が構成されている。前記ＳＡ２により、前記景品発行要求手段により景品発行の要求があった場合に、未登録の景品識別情報を発行する景品識別情報発行手段が構成されている。前記ＳＡ６〜ＳＡ１１により、前記景品識別情報発行手段が発行した景品識別情報を払出すべき景品に付与する景品識別情報付与手段が構成されている。
【００６８】
前記ＳＢ３，特殊景品読取装置６５〜６７により、前記景品に付され当該景品を他の景品と識別するための景品識別情報を読取る景品識別情報読取手段が構成されている。前記ＳＢ５，ＳＢ６により、前記景品識別情報読取手段が読取った景品識別情報が正しいデータで構成された適正な形の情報であるか否かを判定する景品識別情報適否判定手段が構成されている。前記ＳＢ９，ＳＢ１６，ＳＢ１７により、前記景品識別情報読取手段が読取った景品識別情報と予め登録されている適正な景品識別情報とを照合するための動作を行なう景品識別情報照合動作手段が構成されている。前記ＳＢ８，ＳＢ１８により、前記景品識別情報照合動作手段の照合動作の結果適正と判断された景品の買取額を算出する景品買取額算出手段が構成されている。前記ＳＢ２０および金銭自動支払装置８５により、前記景品買取額算出手段により算出された買取額に応じた金銭を払出す金銭払出手段が構成されている。前記ＳＢ２３により、前記景品買取額算出手段により算出された景品買取額情報を外部出力する景品買取額情報出力手段が構成されている。なお、景品識別情報照合動作手段による景品識別情報の照合動作は、第１管理装置９から景品ＮＯ．に対応して登録されている情報を景品買上装置８に送ってもらい、その景品買上装置８側でその送られて来た情報と読取った景品識別情報とが一致するか否かの判定を行なうようにしてもよい。
【００６９】
前記ＳＢ１５に示したように、前記景品買取額算出手段は、前記景品識別情報適否判定手段により景品識別情報が適正である旨の判定結果を受けて、前記景品識別情報照合動作手段に基づいた照合結果を待たずに前記景品買取額を算出し、前記金銭払出手段に払出準備を行なわせる機能を有する。その結果、景品の投入時から金銭の払出しまでの時間を極力短縮することができる。ＳＢ２３に示したように前記景品買取額情報出力手段は、景品買取額情報を景品識別情報に含まれる発行店識別情報とともに出力する機能を有する。その結果、複数店舗（複数の遊技場）の景品に対応して景品の買上げを行なう場合であっても、発行店毎の買取額の集計が可能となる。
【００７０】
前記ＳＣ１６，景品コード書込装置１３５により、前記遊技場に納入される前の景品に対し、景品の納入先を特定するための景品識別情報（第１の景品識別情報）を付与する景品識別情報付与手段が構成されている。前記ＳＣ２２により、前記景品識別情報付与手段により付与した前記景品識別情報を出力する景品識別情報第１出力手段が構成されている。前記ＳＣ３，景品コード読取装置１２２により、前記納入先である遊技場を出て集荷されてきた景品に付与されている前記景品識別情報を読取る景品識別情報読取手段が構成されている。前記ＳＣ５により、前記景品識別情報読取手段が読取った景品識別情報を出力する景品識別情報第２出力手段が構成されている。
【００７１】
前記ＳＣ６，ＳＣ７，景品コード除去装置１２により、前記景品の払出元を特定するための第２の景品識別情報を除去する景品識別情報除去手段が構成されている。この第２の景品識別情報が除去されることにより、還流してきた景品を新たな景品として納入することが可能となる。前記ＳＣ６，ＳＣ７，包装開封装置１２７により、前記景品識別情報除去手段は、景品に付与されている第１の景品識別情報も除去する機能を有する。その結果、景品に付与されている第１，第２の景品識別情報が除去され、新たに第１の景品識別情報が付与されるようになるため、還流してきた景品を新たな景品として納入することが可能となるとともに、遊技場から見た場合の景品の還流の度合すなわち或る遊技場から景品交換されて出てきた景品と同じものがその遊技場に還流して帰ってくる度合を薄めることができる。
【００７２】
前記ＳＣ９〜ＳＣ１４により、前記第１の景品識別情報を作成する第１景品識別情報作成手段が構成されている。
【００７３】
Ｓ４により、前記景品と他の景品とを識別するための景品識別情報を登録する景品識別情報登録手段が構成されている。前記Ｓ５〜Ｓ９により、景品に付されている前記景品識別情報が前記景品識別情報登録手段に登録されている景品識別情報と一致するか否か判別する一致判別手段が構成されている。そして、Ｓ１０，Ｓ１１により、前記一致判別手段の判別結果を出力する判別結果出力手段が構成されている。前記Ｓ１２〜Ｓ１４により、前記景品買上装置により買上げられた景品に対応する前記景品識別情報を、前記景品識別情報登録手段から抹消する景品識別情報抹消手段が構成されている。
【００７４】
前記第２管理装置１４により、景品の入出庫に関する情報を分類記憶する入出庫情報分類記憶手段が構成されている。前記Ｓ１５，Ｓ１６により、景品の納入に伴って入出庫情報分類記憶手段に記憶されている景品の納入情報を更新する景品納入情報更新手段が構成されている。前記Ｓ１７，Ｓ１８により、景品の集荷に伴って前記入出庫情報分類記憶手段に記憶されている景品の集荷情報を更新する景品集荷情報更新手段が構成されている。Ｓ１９，Ｓ２０により、前記景品買上装置による景品の買上げに伴って前記入出庫情報分類記憶手段に記憶されている景品の買取額情報を更新する景品買取額情報更新手段が構成されている。
【００７５】
遊技場に設置された景品払出装置５にストックしている景品すなわち在庫景品数データを出力する機能を持たせ、その在庫景品数データ出力手段から出力されてきたデータに基づいて第２管理装置１４が、その出力されてきた在庫数と図１１に示した買取残データと比較し、両データがほぼ一致するか否かを判別する判別手段を設けてもよい。この両データが大きく隔たれば、遊技場が景品を正規の特殊景品買取所７以外の正規でない特殊景品買取所に横流ししたことや、遊技場が特殊景品集荷場１０から正規に納入した正規の特殊景品以外の不正景品を景品払出装置５から払出したことが推察される。また、買取残データや集荷残データが万一マイナスデータとなれば異常判別するようにしてもよい。
【００７６】
景品の背番号管理用の第２景品コード１５７からなる景品識別情報は、景品払出装置５のストック部にストックする以前の段階から景品に付しておいてもよく、具体例としては、特殊景品集荷場で第１景品コード１５６を付するときに同時に付する等して、特殊景品集荷場１０から出荷される以前の段階で前記景品識別情報を景品に付するようにすることが考えられる。
【００７７】
ＳＡ５に示したように、遊技結果価値の入力毎に景品ＮＯ．を第１管理装置９に要求する代わりに、予め未登録の景品ＮＯ．（景品識別情報）を複数第１管理装置９から貰っておき、その景品ＮＯ．を使い尽くした後再度複数の景品ＮＯ．を貰うようにしてもよい。このようにすれば、景品ＮＯ．を予め貰っておくことにより、景品払出までの時間を極力短縮することができる。
【００７８】
また、遊技者が所定の記録媒体に遊技結果価値を累積的に溜めておき、後日高額景品と交換したり再遊技に使用できるようにしてもよい。また、景品として、商品券等の有価証券や玉貸カード，前記全国共通カードを遊技者に提供してもよい。また、景品処理装置１１に、前記第２管理装置１４の機能を内蔵させてもよい。
【００７９】
さらに、特殊景品の前述した背番号管理をＶＡＮ業者が行ない、ＶＡＮ（付加価値通信網）により景品識別情報を送信して登録し、登録有無の照合およびその照合結果の返信をＶＡＮにより行なうようにしてもよい。
【００８０】
また、景品買上装置８により特殊景品を買取った時にその特殊景品に付されている第２景品コード（景品識別情報）を第１管理装置９から登録抹消してもよい。このようにした場合には、買取られた特殊景品が盗まれてその盗まれた特殊景品を景品買上装置８により買取ってもらうという不正行為を行なおうとしても、既にその盗まれた特殊景品は登録抹消されているために、買取られることがなく、損害を防止できる。また、特殊景品を買取った時にその包装を開封するようにすれば、前述と同様に盗難品を巡る不正行為に伴なう損害を防止できる。さらに、買取った特殊景品を特殊景品買取所７や特殊景品集荷場１０等で使用不能となるように破棄するようにした場合にも、前述と同様に盗難品を巡る不正行為に伴なう損害を防止できる。このように、特殊景品を破棄する等して特殊景品集荷場１０で再使用できないようにした場合や特殊景品が不足した場合には、特殊景品製造工場から図５の（Ｂ）に示した形で特殊景品１５Ｂが特殊景品集荷場１０に納入される。
【００８１】
【発明の効果】
請求項１に記載の本発明によれば、前記景品番号照合手段により景品番号の照合が行なわれるため、不正特殊景品が持込まれた場合には前記照合結果により不正であることが判別でき、不正特殊景品の買上げを極力防止できる。また、セキュリティ情報判定手段により適正であると判定されたことに基づいて、前記照合結果返信手段からの照合結果の返信を待つことなく前記特殊景品の買取額分の金銭を前記金銭払出手段により払出すための準備を行い、照合結果返信手段から景品番号の登録がある旨の照合結果が返信されてきたことを条件として、払出準備手段により払出の準備がなされた金銭を金銭払出手段に払出させる制御が行なわれるために、特殊景品の買取額に応じた金銭の払出しに要する時間を極力短縮することができる。
さらに、照合要求を送信した複数の特殊景品の中に、景品番号の登録がないものが存在するときには、払出準備手段により払出の準備がなされていた金銭から、当該景品番号の登録がない旨の照合結果であった特殊景品の額面分の金銭を減算した金銭を金銭払出手段に払出させる制御が行われるために、未登録の特殊景品を除いた最終的に適正と判断された特殊景品についてのみの最終的な払出金額を払出すことができる。
【図面の簡単な説明】
【図１】景品背番号管理システムの概略を示す全体システムブロック図である。
【図２】景品払出装置の構成を示す構成図である。
【図３】景品買上装置の構成を示す構成図である。
【図４】景品処理装置の構成を示す構成図である。
【図５】特殊景品の構成を示す斜視図である。
【図６】景品払出装置の動作を示すフローチャートである。
【図７】景品買上装置の動作を示すフローチャートである。
【図８】景品処理装置の動作を示すフローチャートである。
【図９】第１管理装置の動作を示すフローチャートである。
【図１０】第２管理装置の動作を示すフローチャートである。
【図１１】第２管理装置の記憶データを示す図である。
【符号の説明】
１Ａ，１Ｂは遊技場、２はカード販売機、３はカード処理機、４はパチンコ機、５は景品払出装置、６は玉計数装置、７は特殊景品買取所、８は景品買上装置、９は第１管理装置、１１は景品処理装置、１２は景品コード除去装置、１３は景品コード付与装置、１４は第２管理装置、１５Ａ，１５Ｂ，１５Ｃは特殊景品、１６は玉計数装置、１９はメダル計数装置、４３，４４，４５は特殊景品払出装置、４９，８４，１２０は制御部、１４２は入力装置、６５，６６，６７は特殊景品読取装置、８５は金銭自動支払装置、１３５は景品コード書込装置、１２２は景品コード読取装置、１２７は包装開封装置、１３０は制御装置である。
【図１】
0003778587.tif 000002
【図２】
0003778587.tif 000003
【図３】
0003778587.tif 000004
【図４】
0003778587.tif 000005
【図５】
0003778587.tif 000006
【図６】
0003778587.tif 000007
【図７】
0003778587.tif 000008
【図８】
0003778587.tif 000009
【図９】
0003778587.tif 000010
【図１０】
0003778587.tif 000011
【図１１】
0003778587.tif 000012